(57)【要約】【課題】操作部を配置する操作パネルの意匠性と操作部を視認しないで操作可能なブラインド操作性との両立を図ったスイッチ装置を提供する。【解決手段】スイッチ装置１は、操作者の操作を受ける操作部７を設けたスイッチモジュール４ａと、操作部７の操作面７ａが配置される開口部３ａを有する操作パネル３と、操作パネル３の開口部３ａを含む表面全体を覆う表面シート１０と、前記表面シートを変形させるように操作部７の操作面７ａを操作パネル３の開口部３ａから迫り出させて、前記スイッチモジュール４ａを移動させるアクチュエータモジュール１２とを備えている。【選択図】図１
2019186174.tif 000002
【特許請求の範囲】
【請求項１】
操作者の操作を受ける操作部を設けたスイッチモジュールと、
前記操作部の操作面が配置される開口部を有する操作パネルと、
前記操作パネルの開口部を含む表面全体を覆う表面シートと、
前記表面シートを変形させるように前記操作部の操作面を前記操作パネルの開口部から迫り出させて、前記スイッチモジュールを移動させるアクチュエータモジュールと、
を備えたことを特徴とするスイッチ装置。
【請求項２】
前記アクチュエータモジュールは、電源状態がオン状態になった際に、前記操作面が前記開口部の少なくとも操作パネルと同等以下に配置された待機位置から前記開口部を迫り出した操作位置に前記スイッチモジュールを移動させる第１制御部を備えたことを特徴とする請求項１に記載のスイッチ装置。
【請求項３】
前記アクチュエータモジュールは、電源状態がオン状態にあって前記操作部を操作した際に、触覚フィードバックを発生させるように前記スイッチモジュールを往復移動させる第２制御部を備えたことを特徴とする請求項１又は２に記載のスイッチ装置。
【発明の詳細な説明】
【技術分野】
【０００１】
本発明は、スイッチ装置に関する。
【背景技術】
【０００２】
従来のスイッチ装置の一例としては、複数の操作部材がフロントパネルに設けられた切欠を貫いて操作者に向けて突出している形式の入力キーボードが提案されている（例えば、特許文献１参照）。
【０００３】
特許文献１に記載されている入力キーボードは、複数の操作部材のうちの少なくとも１つの操作部材が引込み装置を介してフロントパネルの切欠の内部に突入して操作者から離れる方向で引き込み可能になっている。フロントパネルの切欠は、弾性的な舌片状の２つのカバーを有している。操作部材がフロントパネルの切欠の内部に引き込まれると、２つのカバーがフロントパネルの切欠を覆うようになっている。
【０００４】
特許文献１は、必要がない操作部材を操作者が操作できないように引き込むことができることから、入力キーボードの迅速な選択及び操作を行うことができるとしている。
【先行技術文献】
【特許文献】
【０００５】
【特許文献１】特開平９−２７２４５号公報
【発明の概要】
【発明が解決しようとする課題】
【０００６】
しかしながら、従来の入力キーボードは、操作部材がフロントパネルの切欠の内部に引き込まれている際に２つのカバーがフロントパネルの切欠を覆っているに過ぎず、フロントパネルの意匠性については考慮されていない。このことから、操作部材を配置するフロントパネルの美観を損なうことなく、操作部を視認しなくてもブラインド操作することができるブラインド操作性を確保することが望まれる。
【０００７】
従って、本発明の目的は、操作部を配置する操作パネルの意匠性と操作部を視認しないで操作可能なブラインド操作性との両立を図ったスイッチ装置を提供することにある。
【課題を解決するための手段】
【０００８】
上記目的を達成するために、本発明に係るスイッチ装置は、操作者の操作を受ける操作部を設けたスイッチモジュールと、前記操作部の操作面が配置される開口部を有する操作パネルと、前記操作パネルの開口部を含む表面全体を覆う表面シートと、前記表面シートを変形させるように前記操作部の操作面を前記操作パネルの開口部から迫り出させて、前記スイッチモジュールを移動させるアクチュエータモジュールと、を備えたことを特徴としている。
【０００９】
また、本発明に係るスイッチ装置では、前記アクチュエータモジュールは、電源状態がオン状態になった際に、前記操作面が前記開口部の少なくとも操作パネルと同等以下に配置された待機位置から前記開口部を迫り出した操作位置に前記スイッチモジュールを移動させる第１制御部を備えたことを特徴としている。
【００１０】
更に、本発明に係るスイッチ装置では、前記アクチュエータモジュールは、電源状態がオン状態にあって前記操作部を操作した際に、触覚フィードバックを発生させるように前記スイッチモジュールを往復移動させる第２制御部を備えたことを特徴としている。
【発明の効果】
【００１１】
本発明によると、操作部を配置する操作パネルの意匠性と、操作部を視認しないで操作するブラインド操作性とを向上させたスイッチ装置が得られる。
【図面の簡単な説明】
【００１２】
【図１】本発明における第１の実施の形態に係るスイッチ装置の一例を模式的に示す要部断面図である。
【図２】第１の実施の形態に係るスイッチ装置の動作を説明するための図１に対応する要部断面図である。
【図３】第１の実施の形態に係るスイッチ装置の制御ブロック図である。
【図４】第２の実施の形態に係るスイッチ装置の一例を模式的に示す要部断面図である。
【図５】第２の実施の形態に係るスイッチ装置の動作を説明するための図４に対応する要部断面図であって、（ａ）は操作部が操作可能となる状態を示す要部断面図、（ｂ）は操作部を操作した際の振動付与状態を示す要部断面図である。
【図６】第２の実施の形態に係るスイッチ装置の制御ブロック図である。
【発明を実施するための形態】
【００１３】
本発明のスイッチ装置に係る実施の形態について、以下に添付図面を参照して説明する。なお、以下の説明においては、車両のエアコンディショナの作動を制御するための操作信号を出力するスイッチ装置を例に挙げているが、これに限定されるものではない。エアコンディショナの他にも、オーディオ、ナビゲーション又はドアミラー等の車載機器の作動を制御するための操作信号を出力するスイッチ装置に適用することが可能である。
【００１４】
［第１の実施の形態］
（スイッチ装置の全体構成）
図１において、スイッチ装置１は、前面を開口した横長の矩形形状のスイッチケース２を有している。スイッチケース２の前面開口には、操作パネル３がプレスフィット結合されている。スイッチケース２の内部には、オンオフ動作を行うスイッチング機構をモジュール化したスイッチモジュール４ａが操作パネル３に対向して収容されている。
【００１５】
スイッチモジュール４ａは、回路基板５と、回路基板５に搭載された複数のプッシュスイッチ６と、複数のプッシュスイッチ６を個別に動作させる複数の操作部７とを備えている。スイッチモジュール４ａには、回路基板５と、複数のプッシュスイッチ６と、複数の操作部７とを保持する単一のスイッチホルダ８が設けられている。なお、回路基板５には、操作パネル照明用やインジケータ用のチップＬＥＤからなる光源等が搭載される。
【００１６】
複数の操作部７は、クーラー、ヒーター、温度や風量等を調整するためのキャップ形状の操作ボタンであり、操作ボタンの表面外周縁から中央に向けて穏やかに膨出した湾曲凸面形状の操作面７ａを有している。操作部７の裏面には、回路基板５に搭載されたプッシュスイッチ６を押圧操作するプッシャ７ｂが設けられている。
【００１７】
プッシュスイッチ６については、操作部７を押圧操作したときにクリック感を付与することができるコンタクトラバースイッチあるいはタクタイルスイッチ等の任意の公知のプッシュスイッチを特に制限なく用いることができる。クリック感は、操作部７を押圧する際の操作力や節度などの操作感触である。
【００１８】
スイッチホルダ８は、表面側及び裏面側に向けて開口した横方向に長い矩形枠形状を有している。スイッチホルダ８の内部には、格子状の隔壁８ａが一体に形成されている。格子状の隔壁８ａの間がスイッチホルダ８の表裏面側に向けて開口した表裏面開口のそれぞれには、操作部７が押圧操作可能に配置されている。スイッチホルダ８の裏面側に向けて開口した裏面開口には、回路基板５を保持するとともにカバーする矩形箱状のカバー体９がプレスフィット結合されている。
【００１９】
スイッチホルダ８の表面側に配置される操作パネル３には、操作部７の操作面７ａを配置する複数の開口部３ａが貫通して形成されている。これらの開口部３ａは、スイッチホルダ８の表面開口と対応して配置されている。操作パネル３には、開口部３ａを含む表面全体を覆う表面シート１０が設けられている。
【００２０】
表面シート１０としては、操作部７の押圧操作により適度に撓む基材を用いることが好ましく、ポリカーボネート系樹脂等のフィルム状、シート状、又は板状の基材からなる。表面シート１０の裏面には、表面シート１０の平面状態を維持する弾性シート１１が重なっている。
【００２１】
表面シート１０の平面状態を維持する弾性シート１１は、操作パネル３の操作領域や操作部７に照光を透過させる透明エラストマー樹脂等のフィルム状、シート状又は板状の基材からなる。弾性シート１１を用いることで、表面シート１０へプリロードを付加することが可能となる。プリロードが不要であれば、弾性シート１１がなくてもよい。
【００２２】
表面シート１０は、操作パネル３の開口部３ａにおいて変形可能となっており、操作パネル３の開口周辺部においては変形しない。表面シート１０を介して操作部３を押圧すると、弾性シート１１が圧縮変形して、操作パネル３の開口部３ａにおいて操作部７の押圧操作が可能となっている。表面シート１０には、操作対象である操作内容を示す意匠マークが形成されている。
【００２３】
操作パネル３の表面に表面シート１０及び弾性シート１１からなるシート状物を重ね合わせることで、操作パネル３は、操作部７の操作面７ａが配置される開口部３ａの輪郭が見切り線として表面シート１０に出現しないシームレスな表面となる。それにより、スイッチ装置１の外観品質を向上させて、製品としての見栄えを良くすることができる。
【００２４】
（アクチュエータモジュールの構成）
以上のように構成されたスイッチ装置１は、操作パネル３の表面全体に表面シート１０を設けることで、連続性を有するフラットな表面とされている。かかる構成によると、スイッチ装置１の表面の外観意匠性を向上させることができるものの、操作パネル３を目視により確認せずに操作部７の押圧操作を行うブラインド操作に対しては、複数の操作部７間の配置領域の識別が困難であり、ブラインド操作性が乏しい。
【００２５】
そこで、スイッチ装置１は、操作部７の押圧操作前に、操作部７の操作面７ａを操作パネル３の開口部３ａから迫り出させて表面シート１０を変形させるための迫り出し手段としてのアクチュエータモジュール１２を備えている。
【００２６】
図１及び図２に示すように、アクチュエータモジュール１２は、スイッチモジュール４ａの操作部７の操作面７ａを操作パネル３の開口部３ａの少なくとも操作パネルと同等以下に配置した待機位置と、操作パネル３の開口部３ａから迫り出した操作位置との間で往復移動させるように駆動制御されるアクチュエータ１３を備えている。アクチュエータ１３は、スイッチケース２の内部底面と、スイッチホルダ８の裏面開口をカバーするカバー体９の外部底面との間に配置されている。
【００２７】
アクチュエータ１３としては、スイッチモジュール４ａを操作部７の押圧（押し下げ）方向と、押し下げ方向とは反対側の迫り出し（押し上げ）方向とに往復移動可能なアクチュエータであれば、特に限定されるものではなく、電磁ソレノイドあるいは形状記憶合金等の任意の公知のアクチュエータを特に制限なく用いることができる。
【００２８】
アクチュエータモジュール１２としては、可動パネル１３ａの裏面に突出して形成されたラック１３ｂに、正逆回転可能なアクチュエータ１３であるモータの出力軸に固定されたピニオン１３ｃを噛み合わせたラック・ピニオン機構を用いることもできる。
【００２９】
図３に示すように、アクチュエータモジュール１２には、制御プログラムに従って取得したデータに演算や加工等を行うマイクロコンピュータを構成するＩＣチップからなる第１制御部１００ａが設けられている。第１制御部１００ａは、アクチュエータ１３と電気的に接続されている。  
【００３０】
第１制御部１００ａは、車両の電源をＯＦＦ状態（オフ状態）、ＡＣＣ（Ａｃｃｅｓｓｏｒｙ）オン状態、ＩＧ（Ｉｇｎｉｔｉｏｎ）オン状態、及びエンジン始動状態とする電源状態のうち、ＩＧスイッチ１４の操作に基づき電源オフ状態以外のＡＣＣオン状態やＩＧオン状態の電源状態になったことを検出してアクチュエータ１３に駆動信号を送ることで、アクチュエータ１３の駆動を制御するように構成されている。
【００３１】
（アクチュエータモジュールの動作）
ここで、図１、図２、及び図３を参照しながら上記のように構成されたアクチュエータモジュール１２について、その動作を説明する。
【００３２】
図１に示すように、いま、スイッチ装置１は、スイッチモジュール４ａの操作部７の操作面７ａが操作パネル３の開口部３ａに配置された待機位置にある。ＩＧスイッチ１４の操作に基づく電源状態がＩＧオン状態になったことをトリガとしてアクチュエータ１３が駆動する。
【００３３】
図２に示すように、アクチュエータ１３を駆動させることにより、スイッチモジュール４ａが操作パネル３に向けて移動する。スイッチモジュール４ａの操作部７の操作面７ａは、弾性シート１１に面接触して操作パネル３の開口部３ａから迫り出される。それにより、表面シート１０が押圧される。
【００３４】
表面シート１０は可撓性を有していることから、アクチュエータモジュール１２の押圧力は、操作部７の操作面７ａを介して表面シート１０を凸状に膨出変形させる。このとき、操作部７の操作面７ａは、操作パネル３の開口部３ａから迫り出した操作位置に配置される。これにより、操作パネル３の表面に複数の操作部７の操作面７ａの輪郭が現れることとなり、操作部７がブラインド操作可能状態となる。
【００３５】
（第１の実施の形態の効果）
第１の実施の形態に係るスイッチ装置１によると、操作部７の操作面７ａを操作パネル３の開口部３ａに配置した待機位置と、操作パネル３の開口部３ａから迫り出した操作位置との間で表面シート１０を変形させる迫り出し手段を備えているため、上記効果に加えて、以下の効果が得られる。
【００３６】
スイッチ装置１の使用時においては、操作部７の操作面７ａによって表面シート１０の表面に膨出した湾曲凸面形状が現れるため、操作部７の配置位置を探しやすくなり、車両走行中の操作部７の操作時においては、操作者の視線の移動を低減することができる。
【００３７】
スイッチ装置１の不使用時においては、操作部７の操作面７ａが操作パネル３の開口部３ａに配置された待機位置にあり、操作部７の操作面７ａによって表面シート１０の表面に膨出した湾曲凸面形状が現れない。それにより、操作部７を配置する操作パネル３の美観を損なうことはない。車両走行中においては、操作者の手指の感触により複数の操作部７の配置領域の識別が確実となり、操作者の手指の感触だけでブラインド操作することができる。
【００３８】
［第２の実施の形態］
（スイッチ装置の構成）
図４を参照すると、同図には、第２の実施の形態に係るスイッチ装置の一構成例が示されている。なお、図４において、上記第１の実施の形態と実質的に同じ部材には同一の部材名と符号を用いることで、これらの部材に関する詳細な説明は省略する。
【００３９】
上記第１の実施の形態では、複数のプッシュスイッチ６を個別に押圧操作する複数の操作部７を備えたスイッチ装置１の構成であったものを、この第２の実施の形態においては、複数の操作部７にタッチセンサを用いたスイッチ装置１の構成とした点で、上記第１の実施の形態とは異なっている。なお、各実施の形態では、別々の第１制御部１００ａと第２制御部１００ｂとを用いるように説明するが、同じ制御部で行う構成にすることが可能である。
【００４０】
図４及び図６に示すように、スイッチ装置１は、静電スイッチ１５を複数の操作部７のそれぞれに備えたスイッチ装置を構成している。静電スイッチ１５は、静電容量式のタッチ検出用電極であり、操作者の手指による近接又は接触を検出するためのタッチセンサである。静電スイッチ１５は、回路基板５に搭載された第２制御部１００ｂに電気的に接続されている。
【００４１】
スイッチケース２の内部には、第２制御部１００ｂを搭載した回路基板５と、静電スイッチ１５が設けられた複数の操作部７とをモジュール化したスイッチモジュール４ｂが収容されている。複数の操作部７は、単一のスイッチホルダ８の表面に一体に突出して形成されている。
【００４２】
スイッチモジュール４ｂのスイッチホルダ８を収容するスイッチケース２の側部には、スイッチホルダ８を摺動案内する摺動案内部１６が設けられている。摺動案内部１６を介してスイッチホルダ８がスイッチケース２に支持されることで、スイッチホルダ８を操作パネル３に対向配置することができる。
【００４３】
（アクチュエータモジュールの構成）
第２の実施の形態に係るスイッチ装置１においては、上記第１の実施の形態に係るスイッチ装置１の操作部７を押圧操作したときのようなクリック感がない。
【００４４】
そのため、操作部７のタッチ操作を行うブラインド操作に対して、操作者が操作部７をタッチ操作したことを確認するためのクリック感を操作者にフィードバックする手段が備えられている。その手段は、操作部７の操作面７ａを操作パネル３の開口部３ａから迫り出させて表面シート１０を変形させるためのアクチュエータモジュール１２に備えられる。
【００４５】
アクチュエータモジュール１２は、操作部７の操作面７ａを操作パネル３の開口部３ａから迫り出した操作位置において操作者の手指に対して触覚刺激を呈示する振動フィードバック機能を有している。
【００４６】
アクチュエータモジュール１２は、操作部７の操作面７ａに沿う方向に直線運動可能なアクチュエータ１７と、アクチュエータ１７の駆動に連動して操作部７の操作面７ａに向かう方向に直線運動可能な運動変換機構１８とを備えている。アクチュエータモジュール１２により、操作部７を操作パネル３の開口部３ａから押し出す押し出し力と、操作部７に刺激操作感覚を呈示する振動フィードバック力とが付与される。
【００４７】
アクチュエータ１７は、運動変換機構１８を駆動可能な機構であれば、特に限定されるものではなく、ソレノイド式や機械式等の任意の公知の駆動装置を特に制限なく用いることができる。運動変換機構１８についても、スイッチモジュール４ｂを操作部７の押圧（引き下げ）方向と、引き下げ方向とは反対側の迫り出し（押し上げ）方向とに往復移動させる任意の公知の運動変換機構を特に制限なく用いることができる。
【００４８】
運動変換機構１８としては、アクチュエータ１７に進退動自在のロッド１９を介して連結固定されたスライダ２０と、スライダ２０の表面に沿って摺動するカムフォロア２１とを採用することができる。カムフォロア２１は、スイッチモジュール４ｂのスイッチホルダ８の裏面開口をカバーするカバー体９の外部底面から突出して形成されている。
【００４９】
スライダ２０の表面には、カムフォロア２１を摺動させる基準の高さとなる基準面２２と、第１カム面２３と、第２カム面２４とが連続して形成されている。基準面２２は、操作部７の操作面７ａを操作パネル３の開口部３ａに配置する待機位置に待機させる平面である。
【００５０】
スライダ２０の第１カム面２３は、操作部７の操作面７ａを操作パネル３の開口部３ａから迫り出した操作位置に移動させる平面であり、基準面２２の高さよりも高い位置に配置されている。第２カム面２４は、操作部７をタッチ操作する操作者の手指に対して触覚刺激を呈示する振動フィードバック力を付与する平面であり、基準面２２の高さよりも高く、第１カム面２３の高さよりも低い位置に配置されている。
【００５１】
アクチュエータ１７は、静電スイッチ１５と電気的に接続された第２制御部１００ｂに接続されている。第２制御部１００ｂは、静電スイッチ１５から得られる検出信号を処理する手段と、検出信号に基づいて振動生成信号からなる駆動信号を生成する手段とを有している。
【００５２】
第２制御部１００ｂは、静電スイッチ１５からの出力に基づき、操作部７の操作面７ａに対して操作者の手指が近接又は接触している位置を表す信号を受け付け、振動生成信号からなる駆動信号をアクチュエータ１７に送ることで、アクチュエータ１７の駆動を制御するように構成されている。
【００５３】
（アクチュエータモジュールの動作）
次に、図４、図５（ａ）、図５（ｂ）、及び図６を参照しながら上記のように構成された第２の実施の形態に係るスイッチ装置１のアクチュエータモジュール１２について、その動作を説明する。
【００５４】
図４において、いま、スイッチ装置１は、ＩＧスイッチ１４の操作に基づく電源状態が、ＡＣＣオン状態やＩＧオン状態の電源状態にあり、スイッチモジュール４ｂの操作部７の操作面７ａが操作パネル３の開口部３ａに配置された待機位置にある。
【００５５】
操作者の手指による近接又は接触を検出したことをトリガとしてアクチュエータ１７が駆動すると、アクチュエータ１７のロッド１９がロッド進出方向へ移動することに伴い、スライダ２０が操作部７の操作面７ａに沿う方向に移動する。なお、ＩＧスイッチ１４の操作に基づく電源状態がＡＣＣオン状態やＩＧオン状態の電源状態となったことをトリガとしてアクチュエータ１７を駆動させることもできる。
【００５６】
図５（ａ）に示すように、アクチュエータ１７のロッド１９がロッド進出方向へ所定量移動すると、スイッチモジュール４ｂのカムフォロア２１は、ロッド１９に連結固定されたスライダ２０の移動に伴い、スライダ２０の基準面２２から第１カム面２３に向けて摺動する。カムフォロア２１の直線運動がスイッチモジュール４ｂの押し上げ方向の直線運動に変換され、スイッチモジュール４ｂが操作パネル３に向けて移動する。
【００５７】
カムフォロア２１がスライダ２０の基準面２２から第１カム面２３に到達すると、スイッチモジュール４ｂの操作部７の操作面７ａが弾性シート１１に面接触して操作パネル３の開口部３ａから迫り出されることで、表面シート１０が押圧される。操作部７の操作面７ａは、操作パネル３の開口部３ａから迫り出した操作位置となる。迫り出し手段の押圧力は、操作部７の操作面７ａを介して表面シート１０を凸状に膨出変形させる。これにより、操作パネル３の表面に複数の操作部７の操作面７ａの輪郭が現れることとなり、操作部７がブラインド操作可能状態となる。
【００５８】
（触覚フィードバックの動作）
図５（ａ）及び図５（ｂ）において、スイッチモジュール４ｂの操作部７の操作面７ａが操作パネル３の開口部３ａから迫り出した操作位置にある。そのとき、操作部７のタッチ操作を検出すると、アクチュエータ１７のロッド１９がロッド進退方向へ所定量往復移動する。カムフォロア２１は、ロッド１９に連結固定されたスライダ１７の第１カム面２３と第２カム面２４との間を往復移動することとなる。
【００５９】
カムフォロア２１の往復移動により、スイッチモジュール４ｂが操作部７の引き下げ力と迫り出し力とを瞬間的に受けることとなり、操作部７に振動を呈示する振動呈示状態となる。操作部７の振動により、操作者の手指に対して垂直な方向の振動情報としてフィードバックが与えられる。
【００６０】
（第２の実施の形態の効果）
この第２の実施の形態に係るスイッチ装置１によると、上記第１の実施の形態における効果に加えて、以下の効果が得られる。
【００６１】
操作パネル３上の複数の操作部７の配置位置を振動によって伝えることが可能となり、複数の操作部７間の移動を操作者の手指の感触でブラインド操作することができるブラインド操作性を確保することができる。
【００６２】
タッチセンサとして構成された複数の操作部７と、操作部７が配置される操作パネル３との表面が連続性を有するシームレスな表面としたデザイン性を有するスイッチ装置１でありながら、視線移動の少ない操作が可能となる。
【００６３】
なお、上記各実施の形態では、車両のエアコンディショナに適用されるスイッチ装置１を例示したが、これに限定されるものではない。各実施の形態に係るスイッチ装置１にあっては、照明装置や通信装置等の車載機器の作動を制御するための操作信号を出力するスイッチ装置として適用することができる。
【００６４】
また、車載用のスイッチ装置以外の情報端末機器あるいは家電機器等のスイッチ装置に適用することも可能である。
【００６５】
更に、上記各実施の形態では、複数の操作部７で構成されるスイッチ装置１を例示したが、複数の操作部７で構成される必要はなく、単一の操作部７で構成されるスイッチ装置にも適用することができることは勿論である。
【００６６】
以上の説明からも明らかなように、本発明に係る代表的な実施の形態、変形例、及び図示例を例示したが、上記実施の形態、変形例、及び図示例は特許請求の範囲に係る発明を限定するものではなく、その要旨を逸脱しない範囲で種々の態様において実施することが可能である。従って、上記実施の形態、変形例、及び図示例の中で説明した特徴の組合せの全てが発明の課題を解決するための手段に必須であるとは限らない点に留意すべきである。
【符号の説明】
【００６７】
１…スイッチ装置、２…スイッチケース、３…操作ネル、３ａ…開口部、４ａ，４ｂ…スイッチモジュール、５…回路基板、６…プッシュスイッチ、７…操作部、７ａ…操作面、７ｂ…プッシャ、８…スイッチホルダ、８ａ…隔壁、９…カバー体、１０…表面シート、１１…弾性シート、１２…アクチュエータモジュール、１３，１７…アクチュエータ、１３ａ…可動パネル、１３ｂ…ラック、１３ｃ…ピニオン、１４…ＩＧスイッチ、１５…静電スイッチ、１６…摺動案内部、１８…運動変換機構、１９…ロッド、２０…スライダ、２１…カムフォロア、２２…基準面、２３…第１カム面、２４…第２カム面、１００ａ…第１制御部、１００ｂ…第２制御部
【図１】
2019186174.tif 000003
【図２】
2019186174.tif 000004
【図３】
2019186174.tif 000005
【図４】
2019186174.tif 000006
【図５】
2019186174.tif 000007
【図６】
2019186174.tif 000008